(57)【要約】    【課題】  充電中に電池パックに発生した異常を検出した場合に速やかに対処することができる２次電池の充電システム装置を得る。    【解決手段】  異常検出回路１６は、常に電圧データＤＶ、温度データＤＴ及び電流データＤＡを対応する所定値とそれぞれ比較しており、該各データの少なくとも１つが対応する所定値を超えると、直ちに所定の異常信号Ｓｅを生成し、電池側通信回路１５及び本体側通信回路２２を介して異常信号検出回路２４に出力し、異常信号検出回路２４は、所定の異常信号Ｓｅを検出すると、直ちに所定の充電停止信号Ｓｓｔを充電制御回路２１に出力して、充電制御回路２１の充電動作を停止させるようにした。【選択図】  図１
2007018761.tif 000002
【特許請求の範囲】
【請求項１】
複数の２次電池セルで構成された電池ブロックを有する電池パックを、該電池パックの充電を制御する充電機能を有した本体回路に接続してなる２次電池の充電システム装置において、
前記電池パックは、
前記電池ブロックにおける充電時の所定の特性を測定して出力する測定回路部と、
該測定回路部で測定された測定値から前記電池ブロックの異常検出を行う異常検出回路部と、
を備え、
前記本体回路は、
前記電池ブロックに対する充電を制御する充電制御回路部と、
前記測定回路部で測定された測定値及び前記異常検出回路部の異常検出結果に応じて該充電制御回路部の動作制御を行う制御回路部と、
該制御回路部に入力される信号を監視し、前記異常検出回路部が電池ブロックの異常を検出したことを示す異常信号を検出すると前記充電制御回路部に対して前記電池ブロックへの充電動作を停止させる異常信号検出回路部と、
を備えることを特徴とする２次電池の充電システム装置。
【請求項２】
前記電池パックは、前記測定回路部で測定された測定値、及び前記異常検出回路部の異常検出結果を前記本体回路に出力する電池側通信回路部を備え、前記本体回路は、該電池側通信回路部と通信を行う本体側通信回路部を備え、該本体側通信回路部は、前記電池側通信回路部から得られた前記測定値及び前記異常検出結果を前記制御回路部に出力することを特徴とする請求項１記載の２次電池の充電システム装置。
【請求項３】
複数の２次電池セルで構成された電池ブロックを有する電池パックを、該電池パックの充電を制御する充電機能を有した本体回路に接続してなる２次電池の充電システム装置において、
前記電池パックは、
前記電池ブロックにおける充電時の所定の特性を測定して出力する測定回路部を備え、
前記本体回路は、
前記電池ブロックに対する充電を制御する充電制御回路部と、
前記測定回路部で測定された測定値に応じて該充電制御回路部の動作制御を行う制御回路部と、
前記測定回路部で測定された測定値から前記電池ブロックの異常検出を行い、電池ブロックの異常を検出すると前記充電制御回路部に対して前記電池ブロックへの充電動作を停止させる異常検出回路部と、
を備えることを特徴とする２次電池の充電システム装置。
【請求項４】
前記電池パックは、前記測定回路部で測定された測定値を前記本体回路に出力する電池側通信回路部を備え、前記本体回路は、該電池側通信回路部と通信を行う本体側通信回路部を備え、該本体側通信回路部は、前記電池側通信回路部から得られた前記測定値を前記制御回路部及び異常検出回路部にそれぞれ出力することを特徴とする請求項３記載の２次電池の充電システム装置。
【請求項５】
複数の２次電池セルで構成された電池ブロックを有する電池パックを、該電池パックの充電を制御する充電機能を有した本体回路に接続してなる２次電池の充電システム装置において、
前記電池パックは、
前記電池ブロックにおける充電時の所定の特性を測定して出力する測定回路部と、
該測定回路部で測定された測定値から前記電池ブロックの異常検出を行う異常検出回路部と、
を備え、
前記本体回路は、
前記電池ブロックに対する充電を制御する充電制御回路部と、
前記測定回路部で測定された測定値に応じて該充電制御回路部の動作制御を行う制御回路部と、
を備え、
前記異常検出回路部は、電池ブロックの異常を検出すると前記充電制御回路部に対して前記電池ブロックへの充電動作を停止させることを特徴とする２次電池の充電システム装置。
【請求項６】
前記電池パックは、前記測定回路部で測定された測定値を前記本体回路に出力する電池側通信回路部を備え、前記本体回路は、該電池側通信回路部と通信を行う本体側通信回路部を備え、該本体側通信回路部は、前記電池側通信回路部から得られた前記測定値を前記制御回路部に出力することを特徴とする請求項５記載の２次電池の充電システム装置。
【請求項７】
前記測定回路部は、前記電池ブロックの電圧を測定して出力する電圧測定回路部、前記電池ブロックの表面温度を測定して出力する温度測定回路部、及び前記電池ブロックへの充電電流を測定して出力する電流測定回路部の少なくとも１つを備えることを特徴とする請求項１、２、３、４、５又は６記載の２次電池の充電システム装置。
【請求項８】
前記異常検出回路部は、前記測定回路部で測定された測定値の少なくとも１つが対応する所定値を超えると前記電池ブロックが異常であると判定することを特徴とする請求項７記載の２次電池の充電システム装置。
【発明の詳細な説明】
【技術分野】
【０００１】
本発明は、２次電池の充電システム装置に関し、特に、複数の２次電池セルを接続した電池パックの充電中に該電池パックの異常の有無を検出する回路を備えた２次電池の充電システム装置に関する。
【背景技術】
【０００２】
近年、携帯機器の電源として、複数の２次電池セルを接続した電池パックを用いるものが多くなってきており、該電池パックは機器本体から着脱可能のものがあった。このような電池パックを充電する方法としては、ＡＣアダプタを機器本体に接続し、機器本体が有している充電制御回路によって充電制御を行うようにしていた。
非水系のリチウム電池は充電時の安全を確保するため、通常、定電流充電と定電圧充電を組み合わせ、リチウム電池の電圧が最大電圧を超えないように充電を行っている。充電を安全に行うためには、充電中の充電電流や電池電圧、更に電池の表面温度を常に監視し、これらの値に異常があった場合は即座に充電を中止する必要がある。
【０００３】
電池パックの電圧、電流及び表面温度を測定するために、従来は電池パックの中にサーミスタ等の感温素子だけを内蔵し、電圧と電流は充電器側、すなわち機器本体側で測定するタイプが多かった。しかし最近では、電池パック内に電圧、電流及び温度の測定手段の一部又は全部を内蔵し、更に測定したデータを電池パックの外部にある充電機能を有した本体機器に送信するための通信手段まで内蔵し、本体機器と通信を行いながら充電するようにしたものもあった（例えば、特許文献１参照。）。
【特許文献１】特開平１０−２０１１０９号公報
【発明の開示】
【発明が解決しようとする課題】
【０００４】
しかし、電池パックの諸特性を通信手段を介して受信し、該受信したデータをＣＰＵ等で構成された制御回路で評価して異常が発生しているかどうか判断していたことから、異常が発生してから対処するまでの時間が長くかかるという問題があった。
【０００５】
本発明は、上記のような問題を解決するためになされたものであり、充電中に電池パックに発生した異常を検出した場合に速やかに対処することができる２次電池の充電システム装置を得ることを目的とする。
【課題を解決するための手段】
【０００６】
この発明に係る２次電池の充電システム装置は、複数の２次電池セルで構成された電池ブロックを有する電池パックを、該電池パックの充電を制御する充電機能を有した本体回路に接続してなる２次電池の充電システム装置において、
前記電池パックは、
前記電池ブロックにおける充電時の所定の特性を測定して出力する測定回路部と、
該測定回路部で測定された測定値から前記電池ブロックの異常検出を行う異常検出回路部と、
を備え、
前記本体回路は、
前記電池ブロックに対する充電を制御する充電制御回路部と、
前記測定回路部で測定された測定値及び前記異常検出回路部の異常検出結果に応じて該充電制御回路部の動作制御を行う制御回路部と、
該制御回路部に入力される信号を監視し、前記異常検出回路部が電池ブロックの異常を検出したことを示す異常信号を検出すると前記充電制御回路部に対して前記電池ブロックへの充電動作を停止させる異常信号検出回路部と、
を備えるものである。
【０００７】
また、前記電池パックは、前記測定回路部で測定された測定値、及び前記異常検出回路部の異常検出結果を前記本体回路に出力する電池側通信回路部を備え、前記本体回路は、該電池側通信回路部と通信を行う本体側通信回路部を備え、該本体側通信回路部は、前記電池側通信回路部から得られた前記測定値及び前記異常検出結果を前記制御回路部に出力するようにした。
【０００８】
また、この発明に係る２次電池の充電システム装置は、複数の２次電池セルで構成された電池ブロックを有する電池パックを、該電池パックの充電を制御する充電機能を有した本体回路に接続してなる２次電池の充電システム装置において、
前記電池パックは、
前記電池ブロックにおける充電時の所定の特性を測定して出力する測定回路部を備え、
前記本体回路は、
前記電池ブロックに対する充電を制御する充電制御回路部と、
前記測定回路部で測定された測定値に応じて該充電制御回路部の動作制御を行う制御回路部と、
前記測定回路部で測定された測定値から前記電池ブロックの異常検出を行い、電池ブロックの異常を検出すると前記充電制御回路部に対して前記電池ブロックへの充電動作を停止させる異常検出回路部と、
を備えるものである。
【０００９】
また、前記電池パックは、前記測定回路部で測定された測定値を前記本体回路に出力する電池側通信回路部を備え、前記本体回路は、該電池側通信回路部と通信を行う本体側通信回路部を備え、該本体側通信回路部は、前記電池側通信回路部から得られた前記測定値を前記制御回路部及び異常検出回路部にそれぞれ出力するようにした。
【００１０】
また、この発明に係る２次電池の充電システム装置は、複数の２次電池セルで構成された電池ブロックを有する電池パックを、該電池パックの充電を制御する充電機能を有した本体回路に接続してなる２次電池の充電システム装置において、
前記電池パックは、
前記電池ブロックにおける充電時の所定の特性を測定して出力する測定回路部と、
該測定回路部で測定された測定値から前記電池ブロックの異常検出を行う異常検出回路部と、
を備え、
前記本体回路は、
前記電池ブロックに対する充電を制御する充電制御回路部と、
前記測定回路部で測定された測定値に応じて該充電制御回路部の動作制御を行う制御回路部と、
を備え、
前記異常検出回路部は、電池ブロックの異常を検出すると前記充電制御回路部に対して前記電池ブロックへの充電動作を停止させるようにした。
【００１１】
また、前記電池パックは、前記測定回路部で測定された測定値を前記本体回路に出力する電池側通信回路部を備え、前記本体回路は、該電池側通信回路部と通信を行う本体側通信回路部を備え、該本体側通信回路部は、前記電池側通信回路部から得られた前記測定値を前記制御回路部に出力するようにした。
【００１２】
具体的には、前記測定回路部は、前記電池ブロックの電圧を測定して出力する電圧測定回路部、前記電池ブロックの表面温度を測定して出力する温度測定回路部、及び前記電池ブロックへの充電電流を測定して出力する電流測定回路部の少なくとも１つを備えるようにした。
【００１３】
この場合、前記異常検出回路部は、前記測定回路部で測定された測定値の少なくとも１つが対応する所定値を超えると前記電池ブロックが異常であると判定するようにした。
【発明の効果】
【００１４】
本発明の２次電池の充電システム装置によれば、電池パックにおける電池ブロックの異常を検出すると、異常検出回路部又は異常信号検出回路部が充電制御回路部の充電動作を直接停止させるようにしたことから、電池パックの異常を検出してから電池パックへの充電を停止させるまでに要する時間を短縮させることができ、充電異常が発生しても、２次故障が発生する前に充電動作を停止させることができる。
また、電池パック内で異常検出を行い、異常を検出すると通信手段を介さずに直接充電制御回路部の充電動作を停止させるようにしたことから、電池パックの異常を検出してから電池パックへの充電を停止させるまでに要する時間を更に短縮させることができ、充電異常が発生しても、２次故障が発生する前に充電動作を停止させることができる。
【発明を実施するための最良の形態】
【００１５】
次に、図面に示す実施の形態に基づいて、本発明を詳細に説明する。
第１の実施の形態．
図１は、本発明の第１の実施の形態における２次電池の充電システム装置の構成例を示したブロック図である。
図１において、充電システム装置１は、複数の２次電池セルを有する電池パック２と、電池パック２の充電制御を行う本体回路３とで構成され、直流電源５から電源供給されている。
本体回路３は、正側電源入力端子ＤＣｉｎ＋と負側電源入力端子ＤＣｉｎ−との間に直流電源５が接続され、電池パック２と本体回路３は、電池側接続端子Ｖａ＋，Ａａ，Ｖａ−及び本体側接続端子Ｖｂ＋，Ａｂ，Ｖｂ−を介して電気的に接続されている。
【００１６】
電池パック２は、複数の２次電池セルで構成された電池ブロック１１、電圧測定回路１２、温度測定回路１３、電流測定回路１４、電池側通信回路１５、異常検出回路１６、サーミスタ等の感温素子１７及び抵抗Ｒ１で構成されている。なお、電圧測定回路１２は電圧測定回路部を、温度測定回路１３及び感温素子１７は温度測定回路部を、電流測定回路１４及び抵抗Ｒ１は電流測定回路部を、電池側通信回路１５は電池側通信回路部を、異常検出回路１６は異常検出回路部をそれぞれなす。
電池ブロック１１は、充電可能なリチウム電池等の２次電池セルを必要な電圧と容量が得られる数だけ接続されてなる。電池側接続端子Ｖａ＋には電池ブロック１１の正側電極が接続され、電池ブロック１１の負側電極は、抵抗Ｒ１を介して電池側接続端子Ｖａ−に接続されている。電圧測定回路１２は、電池ブロック１１の正側電極の電圧を測定し、該測定して得られた電圧データＤＶを電池側通信回路１５と異常検出回路１６にそれぞれ出力する。
【００１７】
感温素子１７は、電池ブロック１１の表面に取り付けられ、温度検出回路１３は、感温素子１７を用いて電池ブロック１１の表面温度の測定を行い該測定して得られた温度データＤＴを電池側通信回路１５と異常検出回路１６にそれぞれ出力する。また、電池パック１１の負側電極と電池側接続端子Ｖａ−との間には抵抗Ｒ１が接続され、電流測定回路１４は、抵抗Ｒ１の両端電圧から電池ブロック１１に流れた充電電流の検出を行い該検出して得られた電流データＤＡを電池側通信回路１５と異常検出回路１６にそれぞれ出力する。異常検出回路１６は、電圧データＤＶ、温度データＤＴ及び電流データＤＡがそれぞれ入力され、これらの各データを対応する各所定値と比較し、少なくとも１つのデータが対応する所定値を超えている場合に所定の異常信号Ｓｅを生成して電池側通信回路１５に出力する。電池側通信回路１５は、入力された電圧データＤＶ、温度データＤＴ、電流データＤＡ及び異常信号Ｓｅを電池側接続端子Ａａを介して本体回路３に送信する。
【００１８】
一方、本体回路３は、充電制御回路２１、本体側通信回路２２、制御回路２３及び異常信号検出回路２４で構成されている。なお、充電制御回路２１は充電制御回路部を、本体側通信回路２２は本体側通信回路部を、制御回路２３は制御回路部を、異常信号検出回路２４は異常信号検出回路部をそれぞれなす。
充電制御回路２１は、正側電源入力端子ＤＣｉｎ＋と本体側接続端子Ｖｂ＋との間に接続され、制御回路２３から送られてくる制御信号に基づいて電池ブロック１１の充電を行う。本体側通信回路２２は、本体側接続端子Ａｂ及び電池側接続端子Ａａを介して電池側通信回路１５に接続されており、電池側通信回路１５から送信された電圧データＤＶ、温度データＤＴ、電流データＤＡ及び異常信号Ｓｅを受信して制御回路２３に送る。制御回路２３は、本体側通信回路２２とデータの授受を行い、その結果を評価し充電制御回路２１を制御する。異常信号検出回路２４は、本体側通信回路２２から出力されるデータを監視し、該データの中に異常信号Ｓｅが含まれている場合は、所定の充電停止信号Ｓｓｔを充電制御回路２１に出力し、充電制御回路２１に対して電池ブロック１１への充電を停止させる。
【００１９】
次に、充電中の動作について説明する。
本体回路３は、ＡＣアダプタ等からなる直流電源５から正側電源入力端子ＤＣｉｎ＋と負側電源入力端子ＤＣｉｎ−との間に電源が供給される。制御回路２３は、所定の充電開始信号を充電制御回路２１に出力すると、充電制御回路２１は電池ブロック１１への充電を開始する。電池ブロック１１に対する充電を行っている間は、電池側通信回路１５を介して電池ブロック１１の電圧、充電電流、電池ブロック１１の表面温度の各データが逐次本体回路３に送られる。制御回路２３は、これらの各データを本体側通信回路２２を経由して取得する。制御回路２３は、取得した各データを評価して充電制御回路２１の充電モードの切り換えを行う。
【００２０】
すなわち、制御回路２３は、充電制御回路２１に対して、電池ブロック１１への充電当初は定電流充電を行わせ、電池ブロック１１の電圧が所定の電圧値に達すると定電圧充電に切り換えさせ、充電電流が所定値以下になると電池ブロック１１が満充電であると判定して電池ブロック１１に対する充電を停止させる。更に、制御回路２３は、充電初期の電池ブロック１１の電圧が所定の電圧より小さい場合は、充電制御回路２１に対して急速充電を行わせたり、定電流充電から定電圧充電に移行するまでの時間や定電流充電から満充電に至る時間を計測し、該計測して得られた時間が所定の時間を超える場合はアラームを出したりする。
【００２１】
異常検出回路１６には、前記したように充電中の電池ブロック１１の電圧データＤＶ、温度データＤＴ及び電流データＤＡがそれぞれ入力されている。異常検出回路１６は、常にこれらのデータを対応する所定値と比較しており、例えば何らかの原因で電池ブロック１１の電圧が満充電電圧（例えば４.２Ｖ）を超えた場合には直ちに所定の異常信号Ｓｅを生成して、電池側通信回路１５に出力する。充電電流と温度についても同様にそれぞれ所定の基準値を定め、該基準値を超えたか否かの判定を行って、基準値を超えた場合には所定の異常信号Ｓｅを電池側通信回路１５に出力する。
【００２２】
電池側通信回路１５は、入力された異常信号Ｓｅを電圧データＤＶ、温度データＤＴ及び電流データＤＡと共に電池側接続端子Ａａ及び本体側接続端子Ａｂを介して本体側通信回路２２に出力する。本体側通信回路２２は、入力された異常信号Ｓｅを電圧データＤＶ、温度データＤＴ及び電流データＤＡと共に制御回路２３に出力する。異常信号検出回路２４は、本体側通信回路２２の出力信号に所定の異常信号Ｓｅが含まれているか否かの検出を行い、本体通信回路２２の出力信号に所定の異常信号Ｓｅが含まれている場合は、直ちに所定の充電停止信号Ｓｓｔを充電制御回路２１に出力し、電池ブロック１１に対する充電制御回路２１の充電動作を停止させる。
【００２３】
制御回路２３は、本体側通信回路２２から送られてきた様々なデータを処理して、初めてデータの中に所定の異常信号Ｓｅが含まれていることを知るため、どうしても異常信号Ｓｅの検出に時間がかかる。このようなことから、本体回路３に異常信号検出回路２４を設けることで、所定の異常信号Ｓｅを速やかに検出することができるため、充電異常に対して迅速に対処することができるようになり、充電異常から発生する２次故障を防止することができる。
【００２４】
第２の実施の形態．
前記第１の実施の形態では、電池パック２に異常検出回路１６を設けて充電異常を検出するようにしたが、本体回路３に異常検出回路１６を設けて充電異常を検出するようにしてもよく、このようにしたものを本発明の第２の実施の形態とする。
図２は、本発明の第２の実施の形態における２次電池の充電システム装置の構成例を示したブロック図である。なお、図２では、図１と同じもの又は同様のものは同じ符号で示し、ここではその説明を省略すると共に図１との相違点のみ説明する。
【００２５】
図２における図１との相違点は、電池パック２の異常検出回路１６を本体回路３に移し、本体回路３の異常信号検出回路２４をなくしたことにあり、これに伴って、図１の異常検出回路１６は異常検出回路１６ａに、図１の電池パック２を電池パック２ａに、図１の本体回路３を本体回路３ａに、図１の充電システム装置１を充電システム装置１ａにそれぞれした。
図２において、充電システム装置１ａは、複数の２次電池セルを有する電池パック２ａと、電池パック２ａの充電制御を行う本体回路３ａとで構成され、直流電源５から電源供給されている。
本体回路３ａは、正側電源入力端子ＤＣｉｎ＋と負側電源入力端子ＤＣｉｎ−との間に直流電源５が接続され、電池パック２ａと本体回路３ａは、電池側接続端子Ｖａ＋，Ａａ，Ｖａ−及び本体側接続端子Ｖｂ＋，Ａｂ，Ｖｂ−を介して電気的に接続されている。
【００２６】
電池パック２ａは、電池ブロック１１、電圧測定回路１２、温度測定回路１３、電流測定回路１４、電池側通信回路１５、感温素子１７及び抵抗Ｒ１で構成されている。
電圧測定回路１２は、電池ブロック１１の正側電極の電圧を測定し、該測定して得られた電圧データＤＶを電池側通信回路１５に出力する。温度検出回路１３は、感温素子１７を用いて電池ブロック１１の表面温度の測定を行い該測定して得られた温度データＤＴを電池側通信回路１５に出力する。また、電流測定回路１４は、抵抗Ｒ１の両端電圧から電池ブロック１１に流れた充電電流の検出を行い該検出して得られた電流データＤＡを電池側通信回路１５に出力する。電池側通信回路１５は、入力された電圧データＤＶ、温度データＤＴ及び電流データＤＡを電池側接続端子Ａａを介して本体回路３ａに送信する。
【００２７】
一方、本体回路３ａは、充電制御回路２１、本体側通信回路２２、制御回路２３及び異常検出回路１６ａで構成されている。なお、異常検出回路１６ａは異常検出回路部をなす。
本体側通信回路２２は、本体側接続端子Ａｂ及び電池側接続端子Ａａを介して電池側通信回路１５に接続されており、電池側通信回路１５から送信された電圧データＤＶ、温度データＤＴ及び電流データＤＡを受信して異常検出回路１６ａ及び制御回路２３にそれぞれ送る。異常検出回路１６ａは、入力された電圧データＤＶ、温度データＤＴ及び電流データＤＡを対応する所定値とそれぞれ比較し、少なくとも１つのデータが所定値を超えている場合に、所定の充電停止信号Ｓｓｔを充電制御回路２１及び制御回路２３にそれぞれ出力し、充電制御回路２１に対して電池ブロック１１への充電を停止させると共に、充電制御回路２１が電池ブロック１１への充電を停止したことを制御回路２３に知らせる。
【００２８】
このようにすることにより、前記第１の実施の形態と同様の効果を得ることができると共に、充電異常時に、制御回路２３で電池ブロック１１の各種データを評価してから所定の充電停止信号Ｓｓｔを出力するよりも遥かに早く電池ブロック１１への充電を停止させることができる。
【００２９】
第３の実施の形態．
前記第１の実施の形態では、異常検出回路１６で充電異常を検出し、異常検出回路１６で充電異常が検出されると、異常信号検出回路２４によって充電制御回路２１による電池ブロック１１への充電動作を停止させるようにしたが、異常検出回路１６で充電異常の検出を行い、異常検出回路１６が、充電異常を検出すると異常信号Ｓｅを電池側通信回路１５に出力すると共に充電制御回路２１に対して電池ブロック１１への充電動作を停止させるようにしてもよく、このようにしたものを本発明の第３の実施の形態とする。
図３は、本発明の第３の実施の形態における２次電池の充電システム装置の構成例を示したブロック図である。なお、図３では、図１と同じもの又は同様のものは同じ符号で示し、ここではその説明を省略すると共に図１との相違点のみ説明する。
【００３０】
図３における図１との相違点は、本体回路３の異常信号検出回路２４をなくし、充電異常時に電池パック２の異常検出回路１６が充電制御回路２１に対して電池ブロック１１への充電動作を停止させるようにしたことにあり、これに伴って、図１の異常検出回路１６を異常検出回路１６ｂに、図１の電池パック２を電池パック２ｂに、図１の本体回路３を本体回路３ｂに、図１の充電システム装置１を充電システム装置１ｂにそれぞれした。
図３において、充電システム装置１ｂは、複数の２次電池セルを有する電池パック２ｂと、電池パック２ｂの充電制御を行う本体回路３ｂとで構成され、直流電源５から電源供給されている。
【００３１】
本体回路３ｂは、正側電源入力端子ＤＣｉｎ＋と負側電源入力端子ＤＣｉｎ−との間に直流電源５が接続され、電池パック２ｂと本体回路３ｂは、電池側接続端子Ｖａ＋，Ａａ，Ｖａ−，Ｂａ及び本体側接続端子Ｖｂ＋，Ａｂ，Ｖｂ−，Ｂｂを介して電気的に接続されている。
電池パック２ｂは、電池ブロック１１、電圧測定回路１２、温度測定回路１３、電流測定回路１４、電池側通信回路１５、異常検出回路１６ｂ、感温素子１７及び抵抗Ｒ１で構成されている。一方、本体回路３ｂは、充電制御回路２１、本体側通信回路２２及び制御回路２３で構成されている。なお、異常検出回路１６ｂは異常検出回路部をなす。
【００３２】
異常検出回路１６ｂは、電圧測定回路１２から電圧データＤＶが、温度測定回路１３から温度データＤＴが、電流測定回路１４から電流データＤＡがそれぞれ入力され、これらの各データを対応する所定値とそれぞれ比較し、少なくとも１つのデータが所定値を超えている場合に所定の異常信号Ｓｅを生成して電池側通信回路１５に出力すると共に、所定の充電停止信号Ｓｓｔを生成し電池側接続端子Ｂａ及び本体側接続端子Ｂｂを介して本体回路３ｂの充電制御回路２１及び制御回路２３にそれぞれ出力する。このようにして、異常検出回路１６ｂは、充電異常を検出すると、本体回路３ｂの充電制御回路２１に対して電池ブロック１１への充電を停止させると共に、本体回路３ｂの制御回路２３に充電制御回路２１が電池ブロック１１への充電を停止したことを知らせる。
なお、異常検出回路１６ｂは、異常信号Ｓｅの代わりに充電停止信号Ｓｓｔを電池側通信回路１５に出力するようにしてもよい。
【００３３】
このようにすることにより、前記第１の実施の形態と同様の効果を得ることができると共に、充電異常時に、異常信号検出回路２４を介さずに異常検出回路１６ｂから充電制御回路２１に充電停止信号Ｓｓｔを送り、電池ブロック１１への充電を停止させるようにしたことから、充電異常が発生してから充電停止するまでの時間を更に短縮することができる。
【００３４】
なお、前記第１から第３の各実施の形態では、電池パックが電圧測定回路１２、温度測定回路１３及び電流測定回路１４を備えている場合を例にして示したが、これは一例であり、電圧測定回路１２、温度測定回路１３及び電流測定回路１４の少なくとも１つを電池パックに設けるようにすればよい。ただし、言うまでもなく、温度測定回路１３を設けた場合は感温素子１７も設けるようにし、電流測定回路１４を設けた場合は抵抗Ｒ１も設けるようにする。
【図面の簡単な説明】
【００３５】
【図１】本発明の第１の実施の形態における２次電池の充電システム装置の構成例を示したブロック図である。
【図２】本発明の第２の実施の形態における２次電池の充電システム装置の構成例を示したブロック図である。
【図３】本発明の第３の実施の形態における２次電池の充電システム装置の構成例を示したブロック図である。
【符号の説明】
【００３６】
１，１ａ，１ｂ  充電システム装置
２，２ａ，２ｂ  電池パック
３，３ａ，３ｂ  本体回路
５  直流電源
１１  電池ブロック
１２  電圧測定回路
１３  温度測定回路
１４  電流測定回路
１５  電池側通信回路
１６，１６ａ，１６ｂ  異常検出回路
１７  感温素子
２１  充電制御回路
２２  本体側通信回路
２３  制御回路
２４  異常信号検出回路
Ｒ１  抵抗
【図１】
2007018761.tif 000003
【図２】
2007018761.tif 000004
【図３】
2007018761.tif 000005